(57)【特許請求の範囲】
【請求項１】
第１格納部に収納した複数枚の第１ディスク群の内の１枚を取り出してセットして回転駆動させて曲トラックを再生し得る第１再生部を設けた第１のディスクバンク部と、第２格納部に収納した複数枚の第２ディスク群の内の１枚を取り出してセットして回転駆動させて曲トラックを再生し得る第２再生部を設けた第２のディスクバンク部とを設け、前記第１格納部に収納されたディスク群と前記第２格納部に収納されたディスク群とのそれぞれの曲トラックを、前記第１再生部と前記第２再生部とを交互に作動させて該ディスク群の曲トラックをランダムに選んで再生し得るランダム再生装置において、
前記第１格納部に収納された第１ディスク群の曲トラックの総数と、前記第２格納部に収納された第２ディスク群の曲トラックの総数とを比較し、多い方に該当する、「前記第１再生部または前記第２再生部」にセットされたディスクの曲トラック再生のランダム選択を同一ディスク内で複数回に亘って選択するように制御する制御部を設けたことを特徴とするランダム再生装置。
【請求項２】
前記制御部は、前記第１または第２ディスク群のいずれか一方の曲トラックが一巡してランダム再生が終了したら、他方の未再生曲トラックを有するディスクをセットして同一ディスク内で未再生曲トラックを対象にして順次にランダム再生するように構成することを特徴とする請求項１に記載のランダム再生装置。
【請求項３】
前記制御部は、前記第１または第２ディスク群のいずれか一方の曲トラックが一巡してランダム再生が終了したら、他方の未再生曲トラックを有するディスクをセットして同一ディスク内で未再生曲トラックを対象にして順次にランダム再生すると共に、当該ディスクの曲トラックが一巡してランダム再生が終了したら、他の未再生曲トラックを有するディスクをセットして同一ディスク内で未再生曲トラックを対象にして順次にランダム再生するように構成することを特徴とする請求項１に記載のランダム再生装置。
【請求項４】
第１格納部に収納した複数枚の第１ディスク群の内の１枚を取り出してセットして回転駆動させて曲トラックを再生し得る第１再生部を設けた第１のディスクバンク部と、第２格納部に収納した複数枚の第２ディスク群の内の１枚を取り出してセットして回転駆動させて曲トラックを再生し得る第２再生部を設けた第２のディスクバンク部とを設け、前記第１格納部に収納されたディスク群と前記第２格納部に収納されたディスク群とのそれぞれの曲トラックを、前記第１再生部と前記第２再生部とを交互に作動させて該ディスク群の曲トラックをランダムに選んで再生し得るランダム再生装置において、
前記第１ディスク群の曲トラックの総数と、前記第２ディスク群の曲トラックの総数とに対応させ、前記第１再生部と前記第２再生部におけるディスクセット回数が同様となるように１回のセットによる曲トラックのランダム再生の数を制御する制御部を設けたことを特徴とするランダム再生装置。
【請求項５】
第１格納部に収納した複数枚の第１ディスク群の内の１枚を取り出してセットして回転駆動させて曲トラックを再生し得る第１再生部を設けた第１のディスクバンク部と、第２格納部に収納した複数枚の第２ディスク群の内の１枚を取り出してセットして回転駆動させて曲トラックを再生し得る第２再生部を設けた第２のディスクバンク部とを設け、前記第１格納部に収納されたディスク群と前記第２格納部に収納されたディスク群とのそれぞれの曲トラックを、前記第１再生部と前記第２再生部とを交互に作動させて該ディスク群の曲トラックをランダムに選んで１ディスクで１曲づつ交互に再生し得るランダム再生装置において、
前記第１または第２ディスク群の内のいずれか一方の曲トラックが一巡してランダム再生が終了したら、他方の未再生曲トラックを有するディスクをセットして同一ディスク内で未再生曲トラックを対象にして順次にランダム再生するように制御する制御部を設けたことを特徴とするランダム再生装置。
【請求項６】
前記制御部は、前記ランダム再生の途中で任意ディスクの任意曲トラックを前記ランダム再生を一時的に中断して再生し得るように構成することを特徴とする請求項１ないし請求項５のいずれかに記載のランダム再生装置。
【発明の詳細な説明】
【０００１】
【発明の属する技術分野】
本発明は、ランダム再生装置に関し、特に、複数枚のディスク群を格納部に収納し、それぞれのディスクの曲トラックを対象にして、ディスクをランダム選択すると共に曲トラックをランダム選択して再生することができるランダム再生装置に関する。
【０００２】
【従来の技術】
複数の曲トラックが光学的に記録されたＣＤやＭＤ等のディスクは、任意トラックへのジャンプや所望トラックの頭出し等のアクセスが、ユーザーに待ち時間を意識させることなく瞬時に行え、使い勝手が非常によくしかも高音質であるために広く普及している。
【０００３】
このようなディスクは、光学式の信号読取り部（再生部）にディスクセットして回転駆動すると共に、レーザ光でもってディスクのピット形成面（記録面）の情報を読み取り、適宜の信号処理を施すことによって任意の曲トラックの再生出力信号を得ることができる。また、ディスクの任意トラックを再生するのみならず、Ｍ系列等の乱数発生手法を用いてディスク内の全ての曲トラックを対象にして曲トラックの再生順序を並べ直し各曲トラックを１回づつ一巡して再生させるランダム再生を行うこともできる。
【０００４】
一般に、ディスクプレーヤでのランダム再生とは、このように曲トラックをランダムに再生することを指し、同一の曲トラックは２回再生されることがなく、１式のトランプカードをよく混ぜて１枚づつカードを抜き取る動作に似ているためにシャッフル再生と呼ばれることもある。
【０００５】
そして、１枚のディスクにおいてランダム再生を行うのみならず、複数枚のディスク群を格納し、その中からランダムにディスクを取り出すと共に、取り出されたディスクの曲トラックをランダムに選択して再生するランダム再生装置がある。このようなランダム再生装置の具体例について説明すると、図７に示すように、ランダム再生装置の一種であるシングルバンクプレーヤには、全体動作を複合的に制御するためのメインマイコン１が設けられ、このメインマイコン１にサブマイコン２とキー３とディスプレイ４が接続されている。
【０００６】
このサブマイコン２は、メインマイコン１の指令に基づいて主として後述のバンク部５を制御するためのものである。バンク部５には、光学式の信号読取りを行いディスク再生をするためのピックアップ５ａが設けられると共に、複数（ｍ）枚のディスクＤＩＳＣ−１、ＤＩＳＣ−２……ＤＩＳＣ−ｍでなるディスク群が格納部５ｂに収納されている。このようなディスク群の中から１枚のディスクが取り出されてピックアップ５ａにセットされて回転駆動されて読取り信号を得ることができる。
【０００７】
また、バンク部５は、メインマイコン１の指令によって動作するサブマイコン２による指令の基に所定のディスクセット動作とディスクのアンロード動作と信号読取り動作を行うもので、バンク部５のピックアップ５ａで得られた光読取り信号は、デジタル信号処理部６によって、ＥＦＭ（８−１４変調）の復調とＣＩＲＣやＡＣＩＲＣによる符号誤り訂正の処理が行われ、Ｄ／Ａ変換器７によって所定のアナログ信号に変換され音声出力信号ＯＵＴが得られる。
【０００８】
キー３は、バンク部５におけるディスク再生動作を制御するための設定を指示したり、シングルバンクプレーヤにおける「再生、停止、再生トラック指定、頭出し、順方向早送り再生、逆方向早送り再生、サーチ」等々の指示を行うもので、ディスプレイ４は、それらの動作状態や再生時間等を表示するものである。
【０００９】
このようなシングルバンクプレーヤにおいて、ランダム再生を行う場合には、図８に示す符号ａで表したように１からｎまでの再生曲順のそれぞれは、ディスクＤＩＳＣ−１〜ディスクＤＩＳＣ−ｍの中からランダム選択されたものとその中の曲のトラックＮｏがランダム選択されたものが再生される。
【００１０】
従って、１番目のランダム再生は、先ず、バンク部５の格納部５ｂからディスクＤＩＳＣ−１が取り出されてピックアップ５ａにセットされ、所定の回転駆動がされて当該ディスクＤＩＳＣ−１のトラックＮｏ１５が再生され、再生終了すると同時にディスクＤＩＳＣ−１がピックアップ５ａからアンロードされて格納部５ｂに収納され、この直後に、２番目にディスクＤＩＳＣ−２のトラックＮｏ３０が再生され、同様に３番目にディスクＤＩＳＣ−３のトラックＮｏ１８が再生され、４番目にディスクＤＩＳＣ−２のトラックＮｏ１６が再生され、以下同様にしてｎ番目にディスクＤＩＳＣ−３のトラックＮｏ３２が再生される。
【００１１】
このようなランダム再生動作は、図９に示すフローチャートのように、先ず、ステップＳ１ではランダム選択されたディスクが格納部５ｂにあるか否かが判定され、Ｎｏの場合には終了とされ、Ｙｅｓの場合には、次のステップＳ２で該当ディスクをピックアップ５ａにセットし、ランダム再生の演奏順番、即ち、再生トラックＮｏが決定され、次のステップＳ３に進み再生トラックＮｏをサーチして再生が行われ、次のステップＳ４に進む。
【００１２】
ステップＳ４は、１トラックの再生が終了したか否かを判定するもので、Ｎｏの場合には、そのまま待ち、Ｙｅｓになったときに次のステップＳ５に進み、全てのディスク／トラックを一巡再生したか否か、即ち一連のランダム再生が終了したか否かが判定され、Ｎｏの場合には、再び次回のランダム再生がステップＳ３とステップＳ４で実行され、ＹｅｓとなったときにステップＳ６に進み一連のランダム再生が終了する。
【００１３】
このようにしてなされるランダム再生は、再生曲順の決定によってランダム選択されたディスクの曲トラックの再生が終了したディスクを格納部５ｂにアンロードして収納し、その直後に、別のディスクをピックアップ５ａにセットすることが必要とされるために、再生曲順の切り替わり時点でディスクのセット／アンロードのために数秒間の音切れが生じる。
【００１４】
なお、ランダムに選択されたディスクのトラックＮｏが同一ディスクの中にある場合、例えば図８に示す再生曲順ｎ−１から再生曲順ｎの切り替わりの場合には、２つの曲のランダム再生が同一ディスク内の単なるトラックジャンプ（トラックＮｏ２４からトラックＮｏ３２へのジャンプ）でよく、ディスクのセット／アンロードの動作が必要ないために数秒間の音切れは生じない。
【００１５】
このような音切れを生じさせないようにした例として図１０に示すように構成されたダブルバンクプレーヤがある。即ち、図１０に示すように、ダブルバンクプレーヤには、全体動作を複合的に制御するためのメインマイコン８が設けられ、このメインマイコン８にサブマイコン９とディスプレイ１１とキー１２が接続されている。
【００１６】
サブマイコン９は、メインマイコン８の指令に基づいて主として後述のダブルバンク部２０を制御するためのものである。ダブルバンク部２０には、光学式の信号読取りを行いディスク再生をするための第１ピックアップ２０ａと第２ピックアップ２０ｂとが独立して２系統設けられている。また、複数（ｎ）枚のディスクＤＩＳＣ−１、ＤＩＳＣ−２……ＤＩＳＣ−ｎでなるディスク群が格納部２０ｃに収納されている。
【００１７】
このようなディスク群の中から１枚のディスクが取り出されて第１ピックアップ２０ａまたは第２ピックアップ２０ｂにセットされて回転駆動されて読取り信号を得ることができる。例えば、図１１に示すようにダブルバンク部２０の格納部２０ｃの中のディスクＤＩＳＣ−２が第２ピックアップ２０ｂにセットされたり、ディスクＤＩＳＣ−５が第１ピックアップ２０ａにセットすることができる。
【００１８】
また、第１ピックアップ２０ａは、メインマイコン８の指令によって動作するサブマイコン９による指令の基に所定のディスクセット動作とディスクのアンロード動作と信号読取り動作を行うもので、第１ピックアップ２０ａで得られた光読取り信号は、デジタル信号処理部１５によって、ＥＦＭ（８−１４変調）の復調とＣＩＲＣやＡＣＩＲＣによる符号誤り訂正の処理が行われ、Ｄ／Ａ変換器１６によって所定のアナログ信号に変換され２入力切替え型のスイッチ部１９の一方の入力端に入力される。
【００１９】
第２ピックアップ２０ｂも第１ピックアップ２０ａと同様に、メインマイコン８の指令によって動作するサブマイコン９による指令の基に所定のディスクセット動作とディスクのアンロード動作と信号読取り動作を行うもので、第２ピックアップ２０ｂで得られた光読取り信号は、デジタル信号処理部１７によって、ＥＦＭ（８−１４変調）の復調ととＣＩＲＣやＡＣＩＲＣによる符号誤り訂正の処理が行われ、Ｄ／Ａ変換器１８によって所定のアナログ信号に変換されスイッチ部１９の他方の入力端に入力される。
【００２０】
さらに、第１ピックアップ２０ａの系統と第２ピックアップ２０ｂの系統は、交互に動作制御されるようになっていて、第１ピックアップ２０ａが動作しているときには、スイッチ部１９を介してＤ／Ａ変換器１６の出力が第１ピックアップ２０ａの再生信号として出力信号ＯＵＴとされ、第２ピックアップ２０ｂが動作しているときには、スイッチ部１９を介してＤ／Ａ変換器１８の出力が第２ピックアップ２０ｂの再生信号として出力信号ＯＵＴとされる。
【００２１】
キー１２は、ダブルバンク部２０におけるディスク再生動作を制御するための設定を指示したり、ダブルバンクプレーヤにおける「再生、停止、再生トラック指定、頭出し、順方向早送り再生、逆方向早送り再生、サーチ」等々の指示を行うもので、ディスプレイ１１は、それらの動作状態や再生時間等を表示するものである。
【００２２】
このようなダブルバンクプレーヤにおいて、リレー再生を行う場合には、図１２に示す符号ｂで表したように１から始まる再生曲順が、第１ピックアップ２０ａにセットされたディスクＤＩＳＣ−１のトラックＮｏ１、２、３と再生され、次に第２ピックアップ２０ｂにセットされたディスクＤＩＳＣ−２のトラックＮｏ１〜５が順に再生され、次に第１ピックアップ２０ａにセットされたＤＩＳＣ−３のトラックＮｏ１〜７が順に再生され、次に第２ピックアップ２０ｂにセットされたＤＩＳＣ−４のトラックＮｏ１〜５が順に再生され、以下同様にして第１ピックアップ２０ａにセットされたディスクの再生と第２ピックアップ２０ｂにセットされたディスクの再生とが交互に行われることによってリレー再生が行われる。
【００２３】
この動作は、詳しくは、図１３に示すフローチャートのように、先ずステップＳ７で再生指定されたディスクがダブルバンク部２０の格納部２０ｃにあるか否かが判定され、無い場合（Ｎｏの場合）には終了とされ、ある場合（Ｙｅｓの場合）には、次のステップＳ８で最も若い番号のディスクを格納部２０ｃから取り出し第１ピックアップ２０ａにセットし、トラックＮｏ００１から再生を開始し、当該ディスクの最終トラックＮｏまで順に再生する。このトラックＮｏ００１の再生を開始したときに次のステップＳ９に進み、次に再生するディスクのスタンバイを行う。
【００２４】
ステップＳ９は、図１４に示すフローチャートのステップＳ９ａのように再生中のディスク番号より大きい番号のディスクがあるか否かを判定し、無い場合（Ｎｏの場合）には終了とされ、ある場合（Ｙｅｓの場合）には次のステップＳ９ｂにて当該ディスク番号の次に若い番号のディスクを第２ピックアップ２０ｂにセットしトラックＮｏ００１の頭で再生一時停止状態、即ちスタンバイ状態にしておく。
【００２５】
このようにスタンバイ状態にされた後、図１３のステップＳ１０に戻され、第１ピックアップ２０ａによる再生が完了しているか否かが判定され、Ｎｏの場合には待機状態とされ、Ｙｅｓとなったときに次のステップＳ１１に進み、第２ピックアップ２０ｂ側でスタンバイ状態にされているディスクがあるか否かが判定され、ない場合（Ｎｏの場合）には終了とされ、ある場合（Ｙｅｓの場合）には次のステップＳ１２で第２ピックアップ２０ｂにセットされているディスクの再生がトラックＮｏ００１から開始され、最終トラックＮｏまで順に再生される。
【００２６】
このトラックＮｏ．００１の再生を開始したときに次のステップＳ１３に進み、次に再生するディスクのスタンバイを行う。このステップＳ１３は、図１５に示すフローチャートのステップＳ１３ａのように再生中のディスク番号より大きい番号のディスクがあるか否かを判定し、無い場合（Ｎｏの場合）には終了とされ、ある場合（Ｙｅｓの場合）には次のステップＳ１３ｂにて当該ディスク番号の次に若い番号のディスクを第１ピックアップ２０ａにセットしトラックＮｏ００１の頭で再生一時停止状態、即ちスタンバイ状態にしておく。
【００２７】
このようにスタンバイ状態にされた後、図１３のステップＳ１４に戻され、第２ピックアップ２０ｂによる再生が完了しているか否かが判定され、Ｎｏの場合には待機状態とされ、Ｙｅｓとなったときに次のステップＳ１５に進み、第１ピックアップ２０ａ側でスタンバイ状態にされているディスクがあるか否かが判定され、ない場合（Ｎｏの場合）には動作終了とされ、ある場合（Ｙｅｓの場合）には次のステップＳ１６で第１ピックアップ２０ａにセットされているディスクの再生がトラックＮｏ００１から開始される。
【００２８】
これ以後は、ステップＳ９ないしステップＳ１４が前述同様に実行され、換言すれば、第１ピックアップ２０ａにセットされたディスクの再生と第２ピックアップ２０ｂにセットされたディスクの再生とが交互に行われることによってリレー再生が行われるのである。
【００２９】
今まで説明したダブルバンクプレーヤにおけるリレー再生の動作を応用してランダム再生を行うには、図１６に示す符号ｃで表したように１からｎまでの再生曲順のそれぞれは、先ず、ディスクＤＩＳＣ−１〜ディスクＤＩＳＣ−ｍの中からランダム選択されて第１ピックアップ２０ａにセットされた中の曲のトラックＮｏがランダム選択されたものが再生され、次にディスクＤＩＳＣ−１〜ディスクＤＩＳＣ−ｍの中からランダム選択されて第２ピックアップ２０ｂにセットされた中の曲のトラックＮｏがランダム選択されたものが再生され、これらの再生が交互に行われるようにすればよい。
【００３０】
従って、１番目のランダム再生は、先ず、ダブルバンク部２０の格納部２０ｃの中からディスクＤＩＳＣ−１が取り出されて第１ピックアップ２０ａにセットされ、所定の回転駆動がされて当該ディスクＤＩＳＣ−１のトラックＮｏ１５が再生され、再生終了すると同時にディスクＤＩＳＣ−１が第１ピックアップ２０ａからアンロードされて格納部２０ｃに収納され、この直後に、２番目に第２ピックアップ２０ｂにセットされたディスクＤＩＳＣ−２のトラックＮｏ１９が再生され、同様に３番目に第１ピックアップ２０ａにてディスクＤＩＳＣ−５のトラックＮｏ３０が再生され、４番目にディスクＤＩＳＣ−１のトラックＮｏ８が再生され、以下同様に第１ピックアップ２０ａと第２ピックアップ２０ｂによって交互にランダム再生が行われる。
【００３１】
このようなランダム再生動作は、図１７示すフローチャートのように、先ず、ステップＳ１７では指定されたディスクがダブルバンク部２０の格納部２０ｃにあるか否かが判定され、Ｎｏの場合には終了とされ、Ｙｅｓの場合には、次のステップＳ１８でランダム再生の演奏順番を決定し第１ピックアップ２０ａにセットし、次のステップＳ１９でランダム再生を行う曲トラックをサーチして再生を開始させる。
【００３２】
この再生開始と同時的にステップＳ２０にて次曲のスタンバイ、即ち、第２ピックアップ２０ｂへのディスクセットを行う。このステップＳ２０は、図１８に示すフローチャートのステップＳ２０ａのように、第２ピックアップ２０ｂにセットされているディスクが、次にランダム再生される再生曲のディスク番号であるか否かが判定され、Ｙｅｓの場合には終了とされ、Ｎｏの場合には、ステップＳ２０ｂにて第２ピックアップ２０ｂにセットされたディスクのランダム再生トラックＮｏの頭で再生一時停止状態、即ちスタンバイ状態にしておく。
【００３３】
このようにスタンバイ状態にされた後、図１７のステップＳ２１に戻され、第１ピックアップ２０ａによる１トラック再生が完了しているか否かが判定され、Ｎｏの場合には待機状態とされ、Ｙｅｓとなったときに次のステップＳ２２に進み、次に、ランダム再生されたディスクの番号が現在のディスク番号と同じかが判定され、異なる場合（Ｎｏの場合）にはＳ２３に進み、ＹＥＳの場合には、前述のステップＳ１９からステップＳ２２が再実行される。
【００３４】
ステップＳ２３は、前述のランダム再生によって全ての曲が一巡されたか否かが判定され、Ｙｅｓの場合にはランダム再生動作完了とされ、Ｎｏの場合には、ステップＳ２４に進み、ランダム再生を行う曲トラックをサーチして再生を開始する。
【００３５】
この再生開始と同時的にステップＳ２５にて次曲のスタンバイ、即ち、第１ピックアップ２０ａへのディスクセットを行う。このステップＳ２５は、図１９に示すフローチャートのステップＳ２５ａのように、第１ピックアップ２０ａにセットされているディスクが、次にランダム再生される再生曲のディスク番号であるか否かが判定され、Ｙｅｓの場合には終了とされ、Ｎｏの場合には、ステップＳ２５ｂにて第１ピックアップ２５ｂにセットされたディスクのランダム再生トラックＮｏの頭で再生一時停止状態、即ちスタンバイ状態にしておく。
【００３６】
このようにスタンバイ状態にされた後、図１７のステップＳ２６に戻され、第２ピックアップ２０ｂによる１トラック再生が完了しているか否かが判定され、Ｎｏの場合には待機状態とされ、Ｙｅｓとなったときに次のステップＳ２７に進み、次に、ランダム再生されたディスクの番号が現在のディスク番号と同じかが判定され、異なる場合（Ｎｏの場合）にはＳ２８に進み、ＹＥＳの場合には、前述のステップＳ２４からステップＳ２７が再実行される。
【００３７】
ステップＳ２８は、全てのディスク／トラックを一巡再生したか否か、即ち一連のランダム再生が終了したか否かが判定され、Ｎｏの場合には、再び次回のランダム再生がステップＳ１９からステップＳ２７までが実行されることによって行われ、Ｙｅｓとなったときに一連のランダム再生が終了する。
【００３８】
さて、ダブルバンクプレーヤの形式としては、図１０に示すように１つの格納部２０ｃにディスク群を収納し、第１ピックアップ２０ａと第２ピックアップ２０ｂの２系統の再生部を設ける場合の他の例として、Ａバンク（図示せず）とＢバンク（図示せず）を設け、それぞれのバンクに、ディスク群を収納する格納部とそこから取り出されたディスクを再生する再生部を設けるように構成した、換言すれば独立した２つのバンク部を有するダブルバンクプレーヤがある。
【００３９】
このようなダブルバンクプレーヤにおいてランダム再生を行うには、図２０に示す符号ｄで表したように再生曲順に従って、先ず、１回目のランダム再生は、ＡバンクにディスクＮｏＡ１なるディスクをセットしてトラックＮｏ１５を再生し、次に２回目のランダム再生は、ＢバンクにディスクＮｏＢ１なるディスクをセットしてトラックＮｏ１９を再生し、３回目のランダム再生は、ＡバンクにディスクＮｏＡ２なるディスクをセットしてトラックＮｏ３０を再生し、以下同様にＢバンクにセットされたディスクのランダム再生とＡバンクにセットされたディスクのランダム再生が交互に行われる。
【００４０】
このようなランダム再生動作は、図２１示すフローチャートのように、先ず、ステップＳ２９では指定されたディスクがＡバンク内にあるか否かが判定され、Ｎｏの場合には図面作成の都合上で付した中継点Ｅを介して図２２のステップＳ４１に進み、Ｙｅｓの場合には、ステップＳ３０に進み、指定されたディスクがＢバンク内にあるか否かが判定され、Ｎｏの場合には中継点Ｆを介して図２２のステップＳ４６に進み、Ｙｅｓの場合には、ステップＳ３１に進む。
【００４１】
ステップＳ３１は、Ａバンクにおけるランダム再生の演奏順番を決定するもので、次のステップＳ３２でＢバンクにおけるランダム再生の演奏順番が決定され次のステップＳ３３でランダム再生を行う曲トラックをサーチして再生を開始する。
【００４２】
この再生開始と同時的にステップＳ３４にて次曲のスタンバイ、即ち、Ｂバンクへのディスクセットを行う。このステップＳ３４は、図２３に示すフローチャートのステップＳ３４ａのように、Ｂバンクにセットされているディスクが、ランダム再生トラックＮｏの頭で再生一時停止状態、即ちスタンバイ状態にしておくものである。。
【００４３】
このようにスタンバイ状態にされた後、図２１のステップＳ３５に戻され、Ａバンクによる１トラック再生が完了しているか否かが判定され、Ｎｏの場合には待機状態とされ、Ｙｅｓとなったときに次のステップＳ３６に進み、Ａバンクの全ての曲トラックを一巡して再生されたか否かが判定され、Ｙｅｓの場合には、中継点Ｇを介して図２２に示すステップＳ４３に進み、Ｎｏの場合にはステップＳ３７に進む。
【００４４】
ステップＳ３７は、ステップＳ３４にて既にセットされているＢバンクの再生曲をサーチして再生開始させるもので、再生開始させると同時的にステップＳ３８で次曲のスタンバイ、即ち、Ａバンクへのディスクセットを行う。このステップＳ３８は、図２４に示すフローチャートのステップＳ３８ａのように、Ａバンクにセットされているディスクが、ランダム再生トラックＮｏの頭で再生一時停止状態、即ちスタンバイ状態にしておくものである。。
【００４５】
このようにスタンバイ状態にされた後、図２１のステップＳ３９に戻され、Ｂバンクによる１トラック再生が完了しているか否かが判定され、Ｎｏの場合には待機状態とされ、Ｙｅｓとなったときに次のステップＳ４０に進み、Ｂバンクの全ての曲トラックを一巡して再生されたか否かが判定され、Ｙｅｓの場合には、中継点Ｈを介して図２２に示すステップＳ４７に進み、Ｎｏの場合にはステップＳ３３からステップＳ４０までが再実行される。
【００４６】
さて、ステップＳ２９でＮｏの場合（ディスクがＡバンク内にない場合）には、図２２に示すステップＳ４１でディスクがＢバンク内にあるか否かが判定されＮｏの場合には終了とされ、Ｙｅｓの場合には、ステップＳ４２でＢバンクにおけるランダム再生の演奏順序が決定され、決定された曲をステップＳ４３で再生開始し、次のステップＳ４４でＢバンクにおいて１トラックの再生が終了したか否かが判定され、Ｎｏの場合には待機状態とされ、Ｙｅｓの場合にはステップＳ４５に進み、Ｂバンクのランダム再生によって全ての曲が一巡されたか否かが判定され、Ｙｅｓの場合にはランダム再生動作完了とされ、Ｎｏの場合には、ステップＳ４３に戻され、ステップＳ４３からステップＳ４５が再実行される。
【００４７】
一方、図２１におけるステップＳ３０がＮｏの場合には、図２２に示すステップＳ４６に進み、Ａバンクにおけるランダム再生の演奏順序が決定され、決定された曲をステップＳ４７で再生開始し、次のステップＳ４８でＡバンクにおいて１トラックの再生が終了したか否かが判定され、Ｎｏの場合には待機状態とされ、Ｙｅｓの場合にはステップＳ４９に進み、Ａバンクののランダム再生によって全ての曲が一巡されたか否かが判定され、Ｙｅｓの場合にはランダム再生動作完了とされ、Ｎｏの場合には、ステップＳ４７に戻され、ステップＳ４７からステップＳ４９が再実行される。
【００４８】
以上のようなダブルバンクプレーヤにおいて、Ａバンクに収納されたディスク群の再生曲数とＢバンクに収納されたディスク群の再生曲数とが異なると、例えばＢバンクの再生曲数の方が多いと、図２０に示すように再生曲順が（ｍ＋４）のときにＡバンクにおけるランダム再生が終了しているために、それ以後のランダム再生は、Ｂバンクのディスク群の中で行われることになる。
【００４９】
従って、Ｂバンクによるランダム再生が同一ディスクのトラックで行われる場合、再生曲順が例えば（ｎ−７）と（ｎ−６）の場合には音切れが生じないものの、Ｂバンクによるランダム再生が異なるディスクで行われる場合、再生曲順が例えば（ｎ−８）と（ｎ−７）の場合には音切れが生じることになる。
【００５０】
【発明が解決しようとする課題】
従来のランダム再生装置、特にダブルバンクプレーヤは、第１格納部に収納した複数枚の第１ディスク群の内の１枚を取り出してセットして回転駆動させて曲トラックを再生し得る第１再生部を設けた第１のディスクバンク部と、第２格納部に収納した複数枚の第２ディスク群の内の１枚を取り出してセットして回転駆動させて曲トラックを再生し得る第２再生部を設けた第２のディスクバンク部とを設け、前記第１格納部に収納されたディスク群と前記第２格納部に収納されたディスク群とのそれぞれの曲トラックを、前記第１再生部と前記第２再生部とを交互に作動させて該ディスク群の曲トラックをランダムに選んで再生するように構成されているために、次のような問題がある。
【００５１】
第１ディスク群の有する曲トラックの総数と、第２ディスク群の有する曲トラックの総数が異なる場合には、少ない方のディスク群のランダム再生を終了した後にはいずれか一方のディスク群のみでのランダム再生となるために、ランダム再生するに際してディスクの交換を行わざるを得ず、この交換のときには、音切れが発生し、次の曲がランダム再生されるまでユーザーが待たされることになり操作感の低下を生じさせる虞がある。
【００５２】
ランダム再生するに際にディスクの交換が行われる毎に発生する機械的な駆動操作音が発生するが、この駆動操作音は、第１のディスクバンク部と第２のディスクバンク部を交互に作動させてランダム再生を行っているときにはいずれか一方のディスクバンク部からの再生音が生じているときであるので、このときにはさほど目立たないものの、第１のディスクバンク部と第２のディスクバンク部の一方のランダム再生が完了して他方のディスクバンク部のみで行われるランダム再生の際には曲と曲との間で音切れが生じ無音状態であるので、このときにはディスク交換のための機械音が特に目立ち、ユーザーに不快感を与えてしまう虞がある。
【００５３】
そこで、本発明の目的は、複数のディスクをランダム再生するに際して曲と曲との間に生じる音切れを極力に少なくし、ユーザーに不快感を与えることを極力に少なくすることができるランダム再生装置を提供することにある。
【００５４】
【課題を解決するための手段】
前述の課題を解決するため、本発明によるランダム再生装置は、次のような特徴的構成を採用している。
【００５５】
（１）第１格納部に収納した複数枚の第１ディスク群の内の１枚を取り出してセットして回転駆動させて曲トラックを再生し得る第１再生部を設けた第１のディスクバンク部と、第２格納部に収納した複数枚の第２ディスク群の内の１枚を取り出してセットして回転駆動させて曲トラックを再生し得る第２再生部を設けた第２のディスクバンク部とを設け、前記第１格納部に収納されたディスク群と前記第２格納部に収納されたディスク群とのそれぞれの曲トラックを、前記第１再生部と前記第２再生部とを交互に作動させて該ディスク群の曲トラックをランダムに選んで再生し得るランダム再生装置において、前記第１格納部に収納された第１ディスク群の曲トラックの総数と、前記第２格納部に収納された第２ディスク群の曲トラックの総数とを比較し、多い方に該当する、「前記第１再生部または前記第２再生部」にセットされたディスクの曲トラック再生のランダム選択を同一ディスク内で複数回に亘って選択するように制御する制御部を設ける。
【００５６】
（２）前記（１）の制御部を、前記第１または第２ディスク群のいずれか一方の曲トラックが一巡してランダム再生が終了したら、他方の未再生曲トラックを有するディスクをセットして同一ディスク内で未再生曲トラックを対象にして順次にランダム再生するように構成する。
【００５７】
（３）前記（１）の制御部を、前記第１または第２ディスク群のいずれか一方の曲トラックが一巡してランダム再生が終了したら、他方の未再生曲トラックを有するディスクをセットして同一ディスク内で未再生曲トラックを対象にして順次にランダム再生すると共に、当該ディスクの曲トラックが一巡してランダム再生が終了したら、他の未再生曲トラックを有するディスクをセットして同一ディスク内で未再生曲トラックを対象にして順次にランダム再生するように構成する。
【００５８】
（４）第１格納部に収納した複数枚の第１ディスク群の内の１枚を取り出してセットして回転駆動させて曲トラックを再生し得る第１再生部を設けた第１のディスクバンク部と、第２格納部に収納した複数枚の第２ディスク群の内の１枚を取り出してセットして回転駆動させて曲トラックを再生し得る第２再生部を設けた第２のディスクバンク部とを設け、前記第１格納部に収納されたディスク群と前記第２格納部に収納されたディスク群とのそれぞれの曲トラックを、前記第１再生部と前記第２再生部とを交互に作動させて該ディスク群の曲トラックをランダムに選んで再生し得るランダム再生装置において、前記第１ディスク群の曲トラックの総数と、前記第２ディスク群の曲トラックの総数とに対応させ、前記第１再生部と前記第２再生部におけるディスクセット回数が同様となるように１回のセットによる曲トラックのランダム再生の数を制御する制御部を設ける。
【００５９】
（５）第１格納部に収納した複数枚の第１ディスク群の内の１枚を取り出してセットして回転駆動させて曲トラックを再生し得る第１再生部を設けた第１のディスクバンク部と、第２格納部に収納した複数枚の第２ディスク群の内の１枚を取り出してセットして回転駆動させて曲トラックを再生し得る第２再生部を設けた第２のディスクバンク部とを設け、前記第１格納部に収納されたディスク群と前記第２格納部に収納されたディスク群とのそれぞれの曲トラックを、前記第１再生部と前記第２再生部とを交互に作動させて該ディスク群の曲トラックをランダムに選んで１ディスクで１曲づつ交互に再生し得るランダム再生装置において、前記第１または第２ディスク群の内のいずれか一方の曲トラックが一巡してランダム再生が終了したら、他方の未再生曲トラックを有するディスクをセットして同一ディスク内で未再生曲トラックを対象にして順次にランダム再生するように制御する制御部を設ける。
【００６０】
（６）前記（１）ないし（５）のいずれかの制御部を、前記ランダム再生の途中で任意ディスクの任意曲トラックを前記ランダム再生を一時的に中断して再生し得るように構成する。
【００６１】
【発明の実施の形態】
以下、本発明の一実施の形態について図１ないし図６を参照しながら説明する。図１は、本発明によるランダム再生装置の一例であるダブルバンクプレーヤの全体構成を示すブロック回路図であり、図１に示すように、ダブルバンクプレーヤの全体動作を複合的に制御するためのメインマイコン８が設けられ、これに２つのサブマイコン９、１０とディスプレイ１１とキー１２が接続されている。
【００６２】
また、サブマイコン９にはバンクＡ部１３が接続され、サブマイコン１０にはバンクＢ部１４が接続されている。このバンクＡ部１３は、第１格納部（格納部１３ｂ）に収納した複数枚の第１ディスク群の内の１枚を取り出してセットして回転駆動させて曲トラックを再生し得る第１再生部（ピックアップ１３ａ）を設けた第１のディスクバンク部を構成し、バンクＢ部１４は、第２格納部（格納部１４ｂ）に収納した複数枚の第２ディスク群の内の１枚を取り出してセットして回転駆動させて曲トラックを再生し得る第２再生部（ピックアップ１４ａ）を設けた第２のディスクバンク部を構成する。
【００６３】
そして、格納部１３ｂに収納されたディスク群と格納部１４ｂに収納されたディスク群とのそれぞれの曲トラックを、ピックアップ１３ａとピックアップ１４ａとを交互に作動させて該ディスク群の曲トラックをランダムに選んで再生し得るダブルバンクプレーヤが構成される。
【００６４】
バンクＡ部１３のピックアップ１３ａは、メインマイコン８の指令によって動作するサブマイコン９による指令の基に所定のディスクセット動作とディスクのアンロード動作と信号読取り動作を行うもので、ピックアップ１３ａで得られた光読取り信号は、デジタル信号処理部１５によって、ＥＦＭ（８−１４変調）の復調ととＣＩＲＣやＡＣＩＲＣによる符号誤り訂正の処理が行われ、Ｄ／Ａ変換器１６によって所定のアナログ信号に変換され２入力切替え型のスイッチ部１９の一方の入力端に入力される。
【００６５】
バンクＢ部１４のピックアップ１４ａもピックアップ１３ａと同様に、メインマイコン８の指令によって動作するサブマイコン１０による指令の基に所定のディスクセット動作とディスクのアンロード動作と信号読取り動作を行うもので、ピックアップ１４ａで得られた光読取り信号は、デジタル信号処理部１７によって、ＥＦＭ（８−１４変調）の復調ととＣＩＲＣやＡＣＩＲＣによる符号誤り訂正の処理が行われ、Ｄ／Ａ変換器１８によって所定のアナログ信号に変換されスイッチ部１９の他方の入力端に入力される。
【００６６】
ピックアップ１３ａの系統とピックアップ１４ａの系統は、交互に動作制御されるようになっていて、ピックアップ１３ａが動作しているときには、スイッチ部１９を介してＤ／Ａ変換器１６の出力がピックアップ１３ａの再生信号として出力信号ＯＵＴとされ、ピックアップ１４ａが動作しているときには、スイッチ部１９を介してＤ／Ａ変換器１８の出力がピックアップ１４ａの再生信号として出力信号ＯＵＴとされる。
【００６７】
キー１２は、ダブルバンク部２０におけるディスク再生動作を制御するための設定を指示したり、ダブルバンクプレーヤにおける「再生、停止、再生トラック指定、頭出し、順方向早送り再生、逆方向早送り再生、サーチ」等々の指示を行うもので、ディスプレイ１１は、それらの動作状態や再生時間等を表示するものである。
【００６８】
このようなダブルバンクプレーヤにおいて、ランダム再生を行う場合には、図２に示す符号ｅで表したように再生曲順の１番目では、バンクＡ部１３のピックアップ１３ａにセットされたディスクＮｏＡ１のトラックＮｏ１５のランダム再生が行われ、２番目では、バンクＢ部１４のピックアップ１４ａにセットされたディスクＮｏＢ１のトラックＮｏ１９のランダム再生が行われ、３番目では、バンクＡ部１３のピックアップ１３ａにセットされたディスクＮｏＡ２のトラックＮｏ３０のランダム再生が行われ、４番目では、バンクＢ部１４のピックアップ１４ａにセットされたディスクＮｏＢ１のトラックＮｏ８のランダム再生が行われる。
【００６９】
以下同様にして、バンクＡ部１３によるランダム再生とバンクＢ部１４によるランダム再生が交互に行われて再生曲順が例えば（ｍ＋４）のときにバンクＡ部１３によるランダム再生が完了し、以後は、バンクＢ部１４のみによるランダム再生、即ち、バンクＢ部１４の中のディスクの内の未再生トラックのあるディスクがランダムに選ばれて、同一ディスク内でのランダム再生が行われる。
【００７０】
バンクＢ部１４の中のディスクの内の未再生トラックのあるディスクが例えばディスクＮｏＢ３とディスクＮｏＢ２の２枚である場合には、再生曲順が（ｍ＋５）のときにディスクＮｏＢ３がセットされそのトラックＮｏ２４、４、７、……１、５とランダム再生され、ディスクＮｏＢ３の全ての曲トラックが再生完了したときにディスクＮｏＢ３がアンロードされ新たなディスクＮｏＢ２がセットされてトラックＮｏ１０、７、…、１６、２１と再生されて一連のランダム再生が終了する。
【００７１】
ここで、ディスク交換されるとき、即ち、ディスクＮｏＢ３からディスクＮｏＢ２に交換されるときには音切れが生じるが、ディスクＮｏＢ３とディスクＮｏＢ２における同一ディスク内のランダム再生のときにはトラックジャンプであるために音切れが生じない。
【００７２】
この動作は、詳しくは、図３に示すフローチャートのように、先ずステップＳ４６では、再生指定されたディスクがバンクＡ部１３の格納部１３ｂにあるか否かが判定され、無い場合（Ｎｏの場合）には中継点Ｂを介して図４に示すフローチャートのステップＳ６９に進み、ある場合（Ｙｅｓの場合）には、次のステップＳ４７でディスクがバンクＢ部１４の格納部１４ｂにあるか否かが判定され、無い場合（Ｎｏの場合）には中継点Ａを介して図４に示すフローチャートのステップＳ６２に進み、ある場合（Ｙｅｓの場合）には、次のステップＳ４８に進む。
【００７３】
このステップＳ４８は、バンクＡ部１３におけるランダム再生の順番を決定するもので、次のステップＳ４９は、バンクＢ部１４におけるランダム再生の順番を決定するもので、次のステップＳ５０では、バンクＡ部１３によるランダム再生が開始される。
【００７４】
この再生開始と同時的に、ステップＳ５１で次にバンクＢ部１４で再生するディスクのスタンバイを行う。このステップＳ５１は、図５に示すステップＳ５１ａのように次に再生されるディスクをピックアップ１４ａにセットしランダム指定された曲トラック頭で再生一時停止状態、即ちスタンバイ状態にしておくものである。
【００７５】
このようにスタンバイ状態にされた後、ステップＳ５２に戻され、バンクＡ部１３による曲トラックの再生が終了しているか否かが判定され、Ｎｏの場合には待機状態とされ、Ｙｅｓとなったときに次のステップＳ５３に進み、バンクＡ部１３におけるランダム再生が全ての曲を一巡したか否かが判定され、Ｙｅｓの場合には、ステップＳ５４に進み、バンクＢ部１４におけるランダム再生曲をサーチして再生開始させ、ステップＳ５５でバンクＢ部１４内の格納部１４ｂに残された未演奏曲をディスク毎に分けてランダム再生の演奏順番を決定し、中継点Ｄを介して図４のステップＳ７３に進む。
【００７６】
一方、ステップＳ５３でＮｏの場合には、ステップＳ５６でバンクＢ部１４によるランダム再生が開始される。この再生開始と同時的に、ステップＳ５７で次にバンクＡ部１３で再生するディスクのスタンバイを行う。このステップＳ５７は、図６に示すステップＳ５７ａのように次に再生されるディスクをピックアップ１３ａにセットしランダム指定された曲トラック頭で再生一時停止状態、即ちスタンバイ状態にしておくものである。
【００７７】
このようにスタンバイ状態にされた後、ステップＳ５８に戻され、バンクＢ部１４による曲トラックの再生が終了しているか否かが判定され、Ｎｏの場合には待機状態とされ、Ｙｅｓとなったときに次のステップＳ５９に進み、バンクＢ部１４におけるランダム再生が全ての曲を一巡したか否かが判定され、Ｙｅｓの場合には、ステップＳ６０に進み、バンクＡ部１３におけるランダム再生曲をサーチして再生開始させ、ステップＳ６１でバンクＡ部１３内の格納部１３ｂに残された未演奏曲をディスク毎に分けてランダム再生の演奏順番を決定し、中継点Ｃを介して図４のステップＳ６５に進む。
【００７８】
一方、ステップＳ５９でＮｏの場合には前述のステップＳ５０からステップＳ５９までが再実行される。
・・・・・
【００７９】
さて、ステップＳ４７でＮｏの場合、即ち、ディスクがバンクＢ部１４に無い場合に実行されるステップＳ６２（図４）は、バンクＡ部１３におけるランダム再生をディスク毎に分けてランダム再生の演奏順番を決定するもので、次のステップＳ６３は、バンクＡ部１３のディスクをランダムに決定するものである。
【００８０】
そして、次のステップＳ６４で現ディスクのランダム再生曲をサーチして再生開始し、次のステップＳ６５でバンクＡ部１３による曲トラックの再生が終了しているか否かが判定され、Ｎｏの場合には待機状態とされ、Ｙｅｓとなったときに次のステップＳ６６に進み、バンクＡ部１３におけるランダム再生が全ての曲を一巡したか否かが判定され、Ｙｅｓの場合には、ステップＳ６７に進み、バンクＡ部１３において未演奏曲のあるディスクがあるか否かを判定し、Ｎｏの場合には修了とされ、Ｙｅｓの場合には、次のステップＳ６８で、未演奏曲のあるディスクをランダムに決定した後、前述のステップＳ６４に戻され、ステップＳ６８までが再実行される。
【００８１】
さて、ステップＳ４６でＮｏの場合、即ち、ディスクがバンクＡ部１３の中に無い場合に実行されるステップＳ６９は、ディスクがバンクＢ部１４の中にあるか否かを判定するものでＮｏの場合には修了とされ、Ｙｅｓの場合には次のステップＳ７０に進み、「ステップＳ７０からステップＳ７６まで」が実行される。
【００８２】
なお、これらの「ステップＳ７０からステップＳ７６まで」の動作は、バンクＡ部１３を対象としている、前述の「ステップＳ６２からステップＳ６８」の動作を、バンクＢ部１４を対象とする動作に置き換えたものであるのでその説明は省略する。
【００８３】
従って、バンクＡ部１３によるランダム再生とバンクＢ部１４によるランダム再生が交互に行われ、バンクＡ部１３またはバンクＢ部１４のいずれか一方のバンクのランダム再生が終了したら、他方のバンクにおいて、未演奏曲の残っているディスクがランダム選択されてセットされ、セットされたディスクの未演奏曲トラックを対象とするランダム再生が行われるのである。
【００８４】
なお、本発明は、前述の実施の形態に限定されることなく、種々の変形実施形態を採用してもよいことは勿論である。
【００８５】
例えば、バンクＡ部１３の格納部１３ｂに収納されたディスク群の曲トラックの総数と、バンクＢ部１４の格納部１４ｂに収納されたディスク群の曲トラックの総数とを比較し、多い方に該当する、「ピックアップ１３ａまたはピックアップ１４ａ」にセットされたディスクの曲トラック再生のランダム選択を同一ディスク内で複数回に亘って選択するように制御してもよい。
【００８６】
また、バンクＡ部１３の格納部１３ｂに収納されたディスク群の曲トラックと、バンクＢ部１４の格納部１４ｂに収納されたディスク群の曲トラックとのいずれか一方の曲トラックが一巡してランダム再生が終了したら、他方の未再生曲トラックを有するディスクをセットして同一ディスク内で未再生曲トラックを対象にして順次にランダム再生するように構成してもよい。
【００８７】
さらに、いずれか一方のディスク群の曲トラックが一巡してランダム再生が終了したら、他方ディスク群の未再生曲トラックを有するディスクをセットして同一ディスク内で未再生曲トラックを対象にして順次にランダム再生すると共に、当該ディスクの曲トラックが一巡してランダム再生が終了したら、他の未再生曲トラックを有するディスクをセットして同一ディスク内で未再生曲トラックを対象にして順次にランダム再生するように構成してもよい。
【００８８】
また、２つのディスク群のそれぞれの曲トラックの総数に対応させ、バンクＡ部１３とバンクＢ部１４におけるそれぞれのディスクセット回数が同様となるように１回のセットによる曲トラックのランダム再生の数を制御するように構成してもよい。
【００８９】
さらに、ランダム再生の途中で任意ディスクの任意曲トラックを前記ランダム再生を一時的に中断して再生し得るように構成すれば、ランダム再生の途中で希望する曲の再生を行ったり、ランダム再生によって現在再生されている曲のリピート再生を行うことができるので甚だ便利である。
【００９０】
【発明の効果】
以上説明したように、本発明のランダム再生装置によれば、２つのディスク群の有する曲トラックの総数が異なる場合に、少ない方のディスク群のランダム再生を終了した後にはいずれか一方のディスク群のみでのランダム選択されたディスクの再生となるために、ランダム再生するに際してディスクの交換を行う回数を必要最小限にすることができ、ディスク交換のときの音切れを極力少なくすることができる。
【００９１】
また、２つのディスク群のそれぞれの曲トラックの総数に対応させ、２つのバンク部におけるそれぞれのディスクセット回数が同様となるように１回のセットによる曲トラックのランダム再生の数を制御するように構成すれば、音切れの全くないランダム再生装置とすることができる。
【００９２】
ディスクがＭＤの場合には、記録されたタイトルやトラックＮｏ等々の付加データが得られるまでに時間が長くかかり、それを表示するまでの遅延時間がかかるが、本発明はディスク交換の頻度を減らすことができるため、このような遅延による問題が発生し難くなる。
【００９３】
従って、本発明のランダム再生装置によれば、複数のディスクをランダム再生するに際して曲と曲との間に生じる音切れを極力に少なくし、ユーザーに不快感を与えることを極力に少なくすることができるのである。
【図面の簡単な説明】
【図１】本発明の一実施の形態によるランダム再生装置の回路要部を示すブロック図である。
【図２】図１に示されるランダム再生装置のランダム再生順序を説明するための図である。
【図３】図１に示されるランダム再生装置のランダム再生動作を説明するためのフローチャートである。
【図４】図３に示されるフローチャートに接続されるフローチャートである。
【図５】図３中に示される１つのステップの詳細を示すフローチャートである。
【図６】図３中に示される１つのステップの詳細を示すフローチャートである。
【図７】従来のランダム再生装置の一例の回路要部を示すブロック図である。
【図８】図７に示されランダム再生装置のランダム再生順序を説明するための図である。
【図９】図７に示されランダム再生装置のランダム再生動作を説明するためのフローチャートである。
【図１０】従来のランダム再生装置の他例の回路要部を示すブロック図である。
【図１１】図１０中に示されるダブルバンク部の動作説明に用いられるブロック図である。
【図１２】従来のランダム再生装置のさらに他の例のリレー再生順序を説明するための図である。
【図１３】図１２に示されるリレー再生順序の詳細動作を説明するためのフローチャートである。
【図１４】図１３中に示される１つのステップの詳細を示すフローチャートである。
【図１５】図１３中に示される１つのステップの詳細を示すフローチャートである。
【図１６】従来のランダム再生装置のさらに他の例のランダム再生順序を説明するための図である。
【図１７】図１６に示されるランダム再生順序の詳細動作を説明するためのフローチャートである。
【図１８】図１７中に示される１つのステップの詳細を示すフローチャートである。
【図１９】図１７中に示される１つのステップの詳細を示すフローチャートである。
【図２０】従来のランダム再生装置のさらに他の例のランダム再生順序を説明するための図である。
【図２１】図２０に示されるランダム再生順序の動作を説明するためのフローチャートである。
【図２２】図２１に示されるフローチャートに接続されるフローチャートである。
【図２３】図２１中に示される１つのステップの詳細を示すフローチャートである。
【図２４】図２１中に示される１つのステップの詳細を示すフローチャートである。
【符号の説明】
８              メインマイコン
９、１０        サブマイコン
１１            ディスプレイ
１２            キー
１３            バンクＡ部
１３ａ、１４ａ  ピックアップ
１３ｂ、１３ｂ  格納部
１４            バンクＢ部
１５            デジタル信号処理部
１６            Ｄ／Ａ変換器
１７            デジタル信号処理部
１８            Ｄ／Ａ変換器
１９            スイッチ部
【図１】
0003552570.tif 000002
【図２】
0003552570.tif 000003
【図３】
0003552570.tif 000004
【図４】
0003552570.tif 000005
【図５】
0003552570.tif 000006
【図６】
0003552570.tif 000007
【図７】
0003552570.tif 000008
【図８】
0003552570.tif 000009
【図９】
0003552570.tif 000010
【図１０】
0003552570.tif 000011
【図１１】
0003552570.tif 000012
【図１２】
0003552570.tif 000013
【図１３】
0003552570.tif 000014
【図１４】
0003552570.tif 000015
【図１５】
0003552570.tif 000016
【図１６】
0003552570.tif 000017
【図１７】
0003552570.tif 000018
【図１８】
0003552570.tif 000019
【図１９】
0003552570.tif 000020
【図２０】
0003552570.tif 000021
【図２１】
0003552570.tif 000022
【図２２】
0003552570.tif 000023
【図２３】
0003552570.tif 000024
【図２４】
0003552570.tif 000025